(57)【特許請求の範囲】
【請求項１】
容器本体の口首部にキャップ部を介して装着され、該キャップ部に対して往復動可能に設けられたポンプヘッド部を有し、該ポンプヘッド部への押圧操作を行うことにより、液流路を介して混合室に内容液を送り出すと共に、空気流路を介して混合室に空気を送り出し、混合室に送られた内容液を混合室から吐出口に至る発泡流路において発泡させて吐出する泡吐出器であって、
前記容器本体内に配置された大径のエアシリンダーと、該エアシリンダーから下方に連設して設けられた小径の液シリンダーとを含むシリンダー部と、
前記エアシリンダーの内周面に沿って密着摺動する空気室密着外周部を備える空気ピストンと、前記液シリンダーの内周面に沿って密着摺動する液室密着外周部を備える液ピストンとを含むピストン部とを有しており、
前記空気ピストンと前記液ピストンとは、前記空気流路を常時開放させた状態で、前記ポンプヘッド部への押圧操作に伴って、上下に一体として移動するようになっており、
前記空気ピストンから下方に延設して、前記空気流路を前記空気ピストンの下方に延長させる延長スリーブ部材が設けられており、
且つ前記延長スリーブ部材によって下方に延長された前記空気流路の下端流入口は、少なくとも前記ポンプヘッド部を押し下げた状態で、前記液シリンダーの内側に開口するようになっており、
前記延長スリーブ部材は、前記ポンプヘッド部を押し下げる前の上死点において、その下端部を、前記エアシリンダーと前記液シリンダーとの縮径接続部分の内側底壁よりも上方に離間させて取り付けられていることにより、前記空気流路の下端流入口は、前記縮径接続部分の内側底壁よりも上方で開口している泡吐出器。
【請求項２】
前記空気ピストンと前記液ピストンとは、前記ポンプヘッド部の中空パイプ部に一体として上下動可能に取り付けられていることで、前記空気流路を常時開放させた状態となっている請求項１記載の泡吐出器。
【発明の詳細な説明】
【技術分野】
【０００１】
本発明は、泡吐出器に関し、特に、容器本体の口首部に取り付けて用いられ、収容された内容液を空気と混合することにより泡状にして吐出する泡吐出器に関する。
【背景技術】
【０００２】
例えば液状の洗浄剤や毛髪剤等を収容し、容器を置いたままの状態でポンプヘッド部を押圧操作することにより、手等による撹拌などを使用者がおこなわずとも内容液を泡状にして吐出させる、ポンプフォーマー容器等の泡吐出容器が種々開発されている。このような泡吐出容器では、容器本体の口首部に、内容液を空気と混合することにより泡状にして吐出する泡吐出器が装着されている。泡吐出器は、例えば容器本体の口首部に装着されるキャップ部に、内容液の吸引、加圧、排出を行うピストン（液ピストン）と、空気の吸引、加圧、排出を行うピストン（空気ピストン）とをそれぞれ同心状の直列配置にして組み入れたシリンダー部からなるポンプ機構が設けられている。そして、キャップ部の上方に突出するポンプヘッド部の押し込みによりポンプ機構の各ピストンを作動させ、内容液と空気とをそれぞれシリンダー部内で加圧、排出して合流空間で相互に混合し、メッシュリング等の泡生成部材を通過させることで泡状にして内容液を外部に吐出させる構造となっている（例えば、特許文献１参照）。
【０００３】
また、ポンプフォーマー容器等の泡吐出容器は、例えば浴室や洗面台等の水周りで使用される機会が多いため、水に濡れることが多い。特に浴室においては、シャワー等の水が容器に直接かかる場合がある。さらに、ポンプヘッド部は、濡れた手で押すことが多いため、ポンプヘッド部の周囲は水に濡れる機会が多い。そして、泡吐出器は、ポンプヘッド部を押圧して内容液を泡状に吐出した後に押圧を開放した際に、ポンプヘッド部が上方に押し戻されるのに伴って、シリンダー部の内部が負圧になり、例えばポンプヘッド部の縦方向流路となる中空パイプ部とキャップ部のガイドステムとの間の隙間、及び空気を送り出すピストンに設けられた外気取込み孔を介して、ポンプヘッド部やキャップ部の周囲の水が、外気と共にキャップ部の内側のシリンダー部内の空気室に吸引されやすくなる。このようなことから、空気室に水が侵入した場合でも、侵入した水を空気室の外へ排出することで空気室に長期間貯留されないようにして、空気室に雑菌が発生したり、侵入した水が腐敗したりするのを防止できるようにした泡吐容器も開発されている（例えば、特許文献２参照）。
【先行技術文献】
【特許文献】
【０００４】
【特許文献１】特開平７−３１５４６３号公報
【特許文献２】特開２０１３−３５５６９号公報
【発明の概要】
【発明が解決しようとする課題】
【０００５】
上記従来の泡吐出器では、いずれも、空気ピストンの筒状部を液ピストンの筒状部に対して摺動可能に遊嵌させることで、空気流路の流入口を開閉するようになっており、流入口を開閉させるための構造が複雑になっていることから、より簡易な構成によって、内容液及び空気を所定の気液比で安定した状態で混合室に送り出すことを可能にする、新たな技術の開発が望まれている。
【０００６】
本発明は、空気流路の流入口を開閉する複雑な機構を要することなく、より簡易な構成によって、所定の気液比で安定した状態で内容液及び空気を混合室に送り出して発泡させることのできる泡吐出器に関する。
【課題を解決するための手段】
【０００７】
本発明は、容器本体の口首部にキャップ部を介して装着され、該キャップ部に対して往復動可能に設けられたポンプヘッド部を有し、該ポンプヘッド部への押圧操作を行うことにより、液流路を介して混合室に内容液を送り出すと共に、空気流路を介して混合室に空気を送り出し、混合室に送られた内容液を混合室から吐出口に至る発泡流路において発泡させて吐出する泡吐出器であって、前記容器本体内に配置された大径のエアシリンダーと、該エアシリンダーから下方に連設して設けられた小径の液シリンダーとを含むシリンダー部と、前記エアシリンダーの内周面に沿って密着摺動する空気室密着外周部を備える空気ピストンと、前記液シリンダーの内周面に沿って密着摺動する液室密着外周部を備える液ピストンとを含むピストン部とを有しており、前記空気ピストンと前記液ピストンとは、前記空気流路を常時開放させた状態で、前記ポンプヘッド部への押圧操作に伴って、上下に一体として移動するようになっており、前記空気ピストンから下方に延設して、前記空気流路を前記空気ピストンの下方に延長させる延長スリーブ部材が設けられており、且つ前記延長スリーブ部材によって下方に延長された前記空気流路の下端流入口は、少なくとも前記ポンプヘッド部を押し下げた状態で、前記液シリンダーの内側に開口する泡吐出器を提供することにより、上記目的を達成したものである。
【発明の効果】
【０００８】
本発明の泡吐出器によれば、空気流路の流入口を開閉する複雑な機構を要することなく、より簡易な構成によって、所定の気液比で安定した状態で内容液及び空気を混合室に送り出して発泡させることができる。
【図面の簡単な説明】
【０００９】
【図１】本発明の好ましい第１実施形態に係る泡吐出器が容器本体の口首部に取り付けられた泡吐出容器の断面図である。
【図２】本発明の好ましい第１実施形態に係る泡吐出器の、ポンプヘッド部の押圧をする前の上死点の状態の断面図である。
【図３】図２のＡ−Ａに沿った断面図である。
【図４】（ａ）は液シリンダーの下端部に設けられた開閉弁の斜視図、（ｂ）は正面図である。
【図５】本発明の好ましい第１実施形態に係る泡吐出器の、使用前の流通、販売時の状態の断面図である。
【図６】本発明の好ましい第１実施形態に係る泡吐出器の、使用開始時にポンプヘッド部等が上昇してゆく途中の状態の断面図である。
【図７】（ａ）〜（ｃ）は、ポンプヘッド部を押圧することで、内容液を発泡させて吐出する状況を説明する断面図である。
【図８】本発明の好ましい第２実施形態に係る泡吐出器の、ポンプヘッド部の押圧をする前の上死点の状態の断面図である。
【図９】（ａ）、（ｂ）は、第２実施形態の泡吐出器のポンプヘッド部を押圧することで、内容液や空気を混合室に送り出す状況を説明する断面図である。
【発明を実施するための形態】
【００１０】
本発明の好ましい第１実施形態に係る泡吐出器１０は、図１に示すように、いわゆるポンプフォーマー容器である泡吐出容器５０に取り付けて用いるポンプフォーマーであって、従来のポンプフォーマーと同様に、泡吐出容器５０の容器本体５１の口首部５２に装着されて、内容液を空気と混合することにより泡状にして吐出する機能を備える。すなわち、泡吐出器１０は、容器本体５１の口首部５２に装着されるキャップ部１１に取り付けられた、内容液の吸引、加圧、排出を行う液ピストン１４と、空気の吸引、加圧、排出を行う空気ピストン１３とをそれぞれ同心状の直列配置にして組み入れたシリンダー部１５を含むポンプ機構を有している。そしてキャップ部１１の上方に突出するポンプヘッド部１８の押し込みによりポンプ機構の各ピストン１３，１４を作動させ、内容液と空気をそれぞれシリンダー部１５内で加圧、排出して、これらをポンプ出側に合流空間として設けた混合室１９で混合し、泡状にして吐出口１８ａから外部に吐出させる。
【００１１】
また、本第１実施形態の泡吐出器１０は、後述するように、空気流路２１（図７（ａ）〜（ｃ）参照）の下端流入口２２を開閉する複雑な機構を要することなく、簡易な構成によって、所定の気液比で安定した状態で内容液及び空気を混合室１９に送り出す機能を備える。さらに、本第１実施形態の泡吐出器１０は、後述するように、空気室２０に水が侵入した場合でも、侵入した水を排出して、侵入した水が空気室２０に長期間貯留されないようにする機能を備える。
【００１２】
そして、本第１実施形態の泡吐出器１０は、図１及び図２に示すように、容器本体５１の口首部５２（図１参照）にキャップ部１１を介して装着され、キャップ部１１に対して往復動可能に設けられたポンプヘッド部１８を有し、ポンプヘッド部１８への押圧操作を行うことにより、液流路２３を介して混合室１９に内容液を送り出すと共に、空気流路２１を介して混合室１９に空気を送り出し、混合室１９に送られた内容液を混合室１９から吐出口１８ａに至る発泡流路２４において発泡させて吐出する吐出器である。泡吐出器１０は、容器本体５１（図１参照）内に配置された大径のエアシリンダー１６と、エアシリンダー１６から下方に連設して設けられた小径の液シリンダー１７とを含むシリンダー部１５と、エアシリンダー１６の内周面に沿って密着摺動する空気室密着外周部１３ａを備える空気ピストン１３と、液シリンダー１７の内周面に沿って密着摺動する液室密着外周部１４ａを備える液ピストン１４とを含むピストン部１２とを有している。空気ピストン１３と液ピストン１４とは、空気流路２１を常時開放させた状態で、ポンプヘッド部１８への押圧操作に伴って、上下に一体として移動するようになっており、空気ピストン１３から下方に延設して、空気流路２１を空気ピストン１３の下方に延長させる延長スリーブ部材３１が設けられている。更に延長スリーブ部材３１によって下方に延長された空気流路２１の下端流入口２２は、少なくともポンプヘッド部１８を押し下げた状態で、液シリンダー１７の内側に開口するようになっている（図７（ａ）〜（ｃ）参照）。空気ピストン１３と液ピストン１４とは、ポンプヘッド部１８の中空パイプ部２７に、個別に移動することなく一体として上下動可能に取り付けられていることで、空気流路２１を常時開放させた状態となっている
【００１３】
また、本第１実施形態では、空気流路２１の下端流入口２２は、図２に示すように、ポンプヘッド部１８を押し下げる前の上死点において、エアシリンダー１６と液シリンダー１７との縮径接続部分の内側底壁２５に近接、好適には縮径接続部分の内側底壁２５と液シリンダー１７の境界に近接して配置されており、ポンプヘッド部１８を押し下げた状態で、液シリンダー１７の内側に開口するようになっている（図７（ａ）〜（ｃ）参照）。縮径接続部分の内側底壁２５は、エアシリンダー１６の下端周縁部から液シリンダー１７の上端周縁部に向けて下方に傾斜する、テーパー形状の傾斜した内側底面２５ａを備えている。
【００１４】
本第１実施形態では、キャップ部１１には、エアシリンダー１６と液シリンダー１７とを含むシリンダー部１５が一体として取り付けられている。すなわち、シリンダー部１５は、当該シリンダー部１５の上部のエアシリンダー１６の上端周縁部分に設けられた上端係合部１６ａを、キャップ部１１の天井部１１ａの内側周縁部分に設けられた内側係合部１１ｂに、嵌め込むようにして接続することで、天井部１１ａから下方に延設して取り付けられている。キャップ部１１の天井部１１ａには、当該天井部１１ａを上下に貫通して、円筒形状のガイド筒部２６が、一体成形されて設けられている。ガイド筒部２６には、ポンプヘッド部１８の中空パイプ部２７が、上下方向に摺動可能に挿通される。ガイド筒部２６の天井部１１ａよりも上方の上半部分の外周面には、雄ネジ凸条２６ａが設けられている。この雄ネジ凸条２６ａに、ポンプヘッド部１８の螺着スカート部２７ａを螺着することで、泡吐出器１０は、泡吐出容器５０の使用前の流通、販売時に、ポンプヘッド部１８や、ポンプヘッド部１８に一体として取り付けられたピストン部１２を、下死点の位置に保持できるようになっている（図５参照）。
【００１５】
キャップ部１１は、天井部１１ａの周縁部分から下方に延設する装着スカート部１１ｃを、容器本体５１の口首部５２の外周面に形成された雄ネジ凸条５２ａに螺着することで、容器本体５１に着脱可能に装着固定される（図１参照）。これによって、キャップ部１１に取り付けられたシリンダー部１５、シリンダー部１５の内周面に沿って摺動するピストン部１２、及びピストン部１２に一体として取り付けられたポンプヘッド部１８を含む泡吐出器１０が、容器本体５１に組み込まれる。
【００１６】
本第１実施形態では、ポンプヘッド部１８は、図１に示すように、ヘッド本体部２８と、中空パイプ部２７とからなる。中空パイプ部２７の上端部から外側に張り出して、係合フランジ部２７ｂが設けられている。係合フランジ部２７ｂの外周縁部から下方に一体として延設して、上述の螺着スカート部２７ａが設けられている。ヘッド本体部２８は、横方向に延設する吐出ノズル部２８ａと、縦方向に延設する接続パイプ部２８ｂとを備える。先端の吐出口１８ａとは反対側の吐出ノズル部２８ａの基端部側に、接続パイプ部２８ｂが連設している。接続パイプ部２８ｂの外側には、当該接続パイプ部２８ｂとの間に間隔をおいて同心状に配置された、筒状係合壁２８ｃが設けられている。
【００１７】
接続パイプ部２８ｂと筒状係合壁２８ｃとの間の間隔部分に、係合フランジ部２７ｂを嵌め込むようして、中空パイプ部２７の上端部をヘッド本体部２８の下部に接続することで、中空パイプ部２７とヘッド本体部２８とが一体となったポンプヘッド部１８が形成される。これによって、ヘッド本体部２８の接続パイプ部２８ｂの外周面が、中空パイプ部２７の上端部内周面に密着することで、吐出ノズル部２８ａの中空内部と中空パイプ部２７の中空内部とが液密に連通して、発泡流路２４が形成される。また中空パイプ部２７には、泡生成部材２９と、空気ピストン１３と、液ピストン１４とが、ポンプヘッド部１２への押圧操作に伴って、一体として上下動可能に取り付けられている。
【００１８】
本第１実施形態では、泡生成部材２９は、例えばメッシュ状の材料からなる多孔部材が用いられている。多孔部材からなる泡生成部材２９として、好ましくは外周枠部とメッシュ板部とからなる成形メッシュを用いることができる。本第１実施形態では、泡生成部材２９は、中空パイプ部２７の中間部分の内側面から内側に張り出して形成された、倒立Ｌ字断面形状の上部内側張出し弁座部２７ｃの上面部に支持させて、中空パイプ部２７の内部に延設する接続パイプ部２８ｂよりも下方部分に取り付けられている。泡生成部材２９は、複数段（本実施形態では４段）に重ねて配置された状態で、中空パイプ部２７の内部に取り付けられている。
【００１９】
また、本第１実施形態では、中空パイプ部２７の略下半部分の内側に、空気ピストン１３の筒状部１３ｂの略上半部分が、嵌め込むようして装着されることで、中空パイプ部２７に空気ピストン１３が一体として取り付けられている。空気ピストン１３は、中空の縦長の略円筒形状の筒状部１３ｂと、エアシリンダー１６の内周面に沿って密着した状態で摺動する空気室密着外周部１３ａとを含んで形成されている。空気室密着外周部１３ａは、筒状部１３ｂの下端部外周面から外側に張り出して設けられた環状張出しフランジ部１３ｃの先端周縁部に、一体として形成されている。空気室密着外周部１３ａは、外側に向けて浅い凹状に湾曲した、上部密着片と下部密着片とを有する縦方向の断面形状を備えている。空気室密着外周部１３ａは、上部密着片と下部密着片とを弾性変形させつつ、これらの先端部をエアシリンダー１６の内周面に密着させることで、２重構造の強固なシール機能を発揮するようになっている。
【００２０】
本第１実施形態では、エアシリンダー１６における、空気ピストン１３の環状張出しフランジ部１３ｃよりも下方部分の中空内部が、混合室１９に送り出す空気を貯留する空気室２０となっている。また、空気ピストン１３の環状張出しフランジ部１３ｃには、空気室２０が負圧になった際に、空気室２０の内部に空気を送り込むための空気孔１３ｄが、ボール弁１３ｅによって開閉可能な状態で設けられている。
【００２１】
空気ピストン１３の筒状部１３ｂは、本第１実施形態では、ポンプヘッド部１８の中空パイプ部２７の略下半部分に装着される上半装着部１３ｆと、上半装着部１３ｆと環状張出しフランジ部１３ｃとの間の部分の中間拡径部１３ｇと、環状張出しフランジ部１３ｃよりも下方に突出して設けられた下部スリーブ部１３ｈとを含んで形成されている。上半装着部１３ｆは、中空パイプ部２７の略下半部分の内周面形状と略合致する外周面形状を備えている。上半装着部１３ｆは、当該上半装着部１３ｆの上端部分を、中空パイプ部２７の中間部分に設けられた上部内側張出し弁座部２７ｃの、倒立Ｌ字断面形状の内面側部分に挿入配置すると共に、中間拡径部１３ｅとの段差部１３ｉを中空パイプ部２７の下端部に当接させた状態で、中空パイプ部２７の略下半部分に装着されている。
【００２２】
筒状部１３ｂの中間拡径部１３ｇは、上半装着部１３ｆよりも肉厚に形成されていることで、その外周面が、段差部１３ｉを介して上半装着部１３ｆの外周面よりも径方向外側に配置される。上半装着部１３ｆとの段差部１３ｉが中空パイプ部２７の下端部に当接するまで、上半装着部１３ｆを中空パイプ部２７の略下半部分に押し込むことで、空気ピストン１３を、ポンプヘッド部１８の中空パイプ部２７に、安定した状態で一体として接続することが可能になる。また、中間拡径部１３ｇは、当該中間拡径部１３ｇの上端周縁の段差部１３ｉとの角部分が、後述するガイド補助部材３０の筒壁部３０ａと環状張出し壁部３０ｂとの連接角部分に、下方から当接可能となっている。これによって、図５に示す、ガイド筒部２６の上半部分にポンプヘッド部１８の螺着スカート部２７ａが螺着された、泡吐出容器５０の流通、販売時の状態から、泡吐出容器５０の使用時に使用者が螺着スカート部２７ａの螺着を開放して、ポンプヘッド部１８やピストン部１２が図２に示す上死点に至る過程において、ピストン部１２（空気ピストン１３）の上昇に伴って、ガイド補助部材３０を上方に押し上げることができるようになっている（図６参照）。
【００２３】
筒状部１３ｂの下部スリーブ部１３ｈは、筒状部１３ｂとは別部材となっている延長スリーブ部材３１を、筒状部１３ｂの下端部に一体として接続させるための略円筒形状の部分である。延長スリーブ部材３１は、空気流路２１の流入口２２を空気ピストン１３の環状張出しフランジ部１３ｃよりも下方に開口させるために、空気流路２１を下方に延長させる部材である。下部スリーブ１３ｈの内径は、上半装着部１３ｆや中間拡径部１３ｇの内径よりも大きくなっている。下部スリーブ１３ｈの内側には、当該下部スリーブ１３ｈの内周面形状と略同様の外周面形状を備える延長スリーブ部材３１の拡径接続部３１ａが、気密な状態で接続される。これによって、延長スリーブ部材３１の拡径接続部３１ａよりも下方の延長本体部３１ｂは、ポンプヘッド部１８が押し下げられる前の上死点において、これの下端部が、シリンダー部１５のエアシリンダー１６と液シリンダー１７との縮径接続部分の内側底壁２５に近接して配置されることになる。
【００２４】
また、本第１実施形態では、延長スリーブ部材３１の延長本体部３１ｂは、空気ピストン１３の筒状部１３ｂの上半装着部１３ｆ及び中間拡径部１３ｇの内径と、同様又は略同様の内径を備えている。延長スリーブ部材３１の延長本体部３１ｂの中空内部、及び空気ピストン１３の筒状部１３ｂの上半装着部１３ｆ及び中間拡径部１３ｇの中空内部に、液ピストン１４の液室円筒部１４ｂが連続して挿入された状態で、液ピストン１４が空気ピストン１３の筒状部１３ｂに一体として接続されている。
【００２５】
本第１実施形態では、液ピストン１４は、略円筒形状のピストン部材となっている。液ピストン１４は、縦長の略円筒形状の液室円筒部１４ｂと、液室円筒部１４ｂの下端部分から外側に張り出して設けられた液室密着外周部１４ａとを含んで構成される。液室円筒部１４ｂは、空気ピストン１３の上半装着部１３ｆの上部中間部分から、中間拡径部１３ｇを経て、延長スリーブ部材３１の下端部に至る長さを有している。液室円筒部１４ｂは、空気ピストン１３の上半装着部１３ｆ及び中間拡径部１３ｇの内周面形状、及び延長スリーブ部材３１の延長本体部３１ｂの内周面形状と、各々合致する外周面形状を有する部分を含んでいる。
【００２６】
また、液ピストン１４の液室円筒部１４ｂには、下端部から、空気ピストン１３の上半装着部１３ｆの中間段差部１３ｊに至る部分における、当該液室円筒部１４ｂの外周面に、図３にも示すように、通気溝１４ｃが、周方向に間隔をおいて複数箇所に設けられている。通気溝１４ｃは、液室円筒部１４ｂの外周面を細長い縦溝状に切り欠くことによって、各々形成されている。通気溝１４ｃは、空気ピストン１３の上半装着部１３ｆの中間段差部１３ｊを貫通して形成された連通孔を介して、空気ピストン１３の上半装着部１３ｆの中間段差部１３ｊよりも上方部分の外周面に形成された上部通気溝１３ｋと、各々連通している（図２、図５、図６参照）。上部通気溝１３ｋは、液室円筒部１４ｂの外周面の通気溝１４ｃと同様に、外周面を細長い縦溝状に切り欠くことによって、周方向に間隔をおいて複数箇所に設けられている。上部通気溝１３ｋは、空気ピストン１３の上半装着部１３ｆの中間段差部１３ｊから、上半装着部１３ｆの外周面を経て、これの上端面、及びポンプヘッド部１８の中空パイプ部２７の上部内側張出し弁座部２７ｃに挿入される部分の内周面に沿って形成されることにより、上半装着部１３ｆの内側の混合室１９と連通している。
【００２７】
これらによって、延長スリーブ部材３１を含む空気ピストン１３の筒状部１３ｂと、液ピストン１４の液室円筒部１４ｂ及びポンプヘッド部１８の中空パイプ部２７との間には、液ピストン１４の液室密着外周部１４ａの直上部分から、液室円筒部１４ｂの外周面の通気溝１４ｃを経て延長スリーブ部材３１の拡径接続部３１ａに至り、さらに拡径接続部３１ａよりも上方部分の通気溝１４ｃを通過した後に、連通孔及び上部通気溝１３ｊを介して混合室１９に至る、空気流路２１が形成されることになる。空気流路２１は、液ピストン１４の液室密着外周部１４ａと、延長スリーブ部材３１の延長本体部３１ｂの下端部との間に臨んで開口する、通気溝１４ｃの下端部を、下端流入口２２として開放させたままの状態で形成される。
【００２８】
また、本第１実施形態では、液ピストン１４の液室円筒部１４ｂの下端部分に設けられた液室密着外周部１４ａは、小径の円筒形状の液シリンダー１７の内周面に沿って密着した状態で上下に摺動する。これによって、液室密着外周部１４ａよりも下方部分の液シリンダー１７の中空内部は、空気室２０と遮断される。またこれによって、液室密着外周部１４ａよりも下方部分の液シリンダー１７の中空内部は、液ピストン１４の液室円筒部１４ｂの中空内部と共に、混合室１９に送り出す内容液を貯留する、液流路２３を兼ねる液室３２を形成する。液室密着外周部１４ａは、空気室密着外周部１３ａと同様に、外側に向けて浅い凹状に湾曲した、上部密着片と下部密着片とを有する縦方向の断面形状を備えている。液室密着外周部１４ａは、上部密着片と下部密着片とを弾性変形させつつ、これらの先端部を液シリンダー１７の内周面に密着させることで、２重構造の強固なシール機能を発揮するようになっている。
【００２９】
さらに、本第１実施形態では、液室密着外周部１４ａの張出し基端部と、液シリンダー１７の下端部に配設された後述する液室流入弁３３との間の液シリンダー１７の内部には、例えばコイルバネによるスプリング部材３４が取り付けられている。スプリング部材３４は、泡吐出容器５０の使用時に、使用者がポンプヘッド部１８を押し下げる際の押圧力に抗して、ポンプヘッド部１８及びピストン部１２を、上死点に向けて上方に付勢する。
【００３０】
さらにまた、本第１実施形態では、液ピストン１４の液室円筒部１４ｂは、上端部が上半装着部１３ｆの上部中間部分に至るまで、空気ピストン１３の中空内部に挿入配置されている。液室円筒部１４ｂの上端部には、液流路２３を開閉する流路ボール弁３５を密着させる、上端弁座部１４ｄが設けられている。この上端弁座部１４ｄと、ポンプヘッド部１８の中空パイプ部２７の中間部分に設けられた上部内側張出し弁座部２７ｃとの間の部分の、空気ピストン１３の筒状部１３ｂ（上半装着部１３ｆ）の内側に、流路ボール弁３５が、上下に移動可能に配設されている。また、液ピストン１４の液室円筒部１４ｂの上端部に設けられた上端弁座部１４ｄと、ポンプヘッド部１８の中空パイプ部２７の内部に取り付けられた泡生成部材２９との間の部分における、空気ピストン１３の筒状部１３ｂ（上半装着部１３ｆ）の内側領域、及び上部内側張出し弁座部２７ｃによって周囲を囲まれる内側領域が、空気室２０から送り出される空気と、液室３２から送り出される内容液とを混合する、混合室１９として機能するようになっている。
【００３１】
本第１実施形態では、小径の液シリンダー１７の下端部は、倒立した略切頭円錐形状部分１７ａを介在させて、縮径された流入口部１７ｂと連通している。流入口部１７ｂの下端の下端流入口１７ｃから、容器本体５１の内部に収容された内容液を、液シリンダー１７の内部の液室３２に流入させることができるようになっている。液シリンダー１７の下端部には、略切頭円錐形状部分１７ａとの段差部に支持させて、液室流入弁３３が設けられている。
【００３２】
液室流入弁３３は、本第１実施形態では、液ピストン１４の内部に挿入される部分を備えておらず、液シリンダー１７の下端部のみに配設された弁体となっている。これによって、液シリンダー１７や液ピストン１４による液流路２３（液室３２）には、障害物が略無くなることで、ポンプヘッド部１８を押圧操作する際に、液室３２に貯留された内容液を、所定量、安定した状態で混合室１９に送り出すことが可能になる。また、液室流入弁３３は、液シリンダー１７の流入口部１７ｂを、安定した状態で開閉できる機能を有している。
【００３３】
すなわち、液室流入弁３３は、図４（ａ）、（ｂ）に示すように、径方向に間隔をおいて対向配置された、弓形の平面形状を有する一対の取付け基盤部３３ａと、これらの一対の取付け基盤部３３ａに跨るようにして立設配置された、上部筒状部３３ｂと下部門型部３３ｃとからなる弁体支持部３３ｄと、下部門型部３３ｃの中央部分から、弾性付勢部３３ｅを介して基盤部３３ａよりも下方に吊り下げられるように配置された、弁本体３３ｆとを含んで構成されている。弁本体３３ｆは、外周面が下方に向けてテーバー状に縮径する形状を有している。液室流入弁３３は、一対の取付け基盤部３３ａを、略切頭円錐形状部分１７ａとの段差部に載置して、液シリンダー１７の下端部に取り付けられる（図２、図５、図６参照）。一対の取付け基盤部３３ａの上面には、液ピストン１４の液室密着外周部１４ａの張出し基端部に上端部を当接させた、スプリング部材３４の下端部が当接する。スプリング部材３４の付勢力によって、取付け基盤部３３ａは、略切頭円錐形状部分１７ａとの段差部に押し付けられて、当該段差部に強固に密着した状態を保持する。これによって、液室流入弁３３は、液シリンダー１７の下端部に、安定した状態で取り付けられる。またこれによって、液室流入弁３３の弁本体３３ｆは、弾性付勢部３３ｅからの付勢力によって、テーパー状の外周面を、倒立した略切頭円錐形状部分１７ａの内周面にスムーズに密着させることが可能になって、液シリンダー１７の流入口部１７ｂを効果的に閉塞できるようになっている。
【００３４】
液室流入弁３３は、液シリンダー１７及び液ピストン１４による液室３２の内部が正圧の時は、弁本体３３ｆを略切頭円錐形状部分１７ａの内周面に密着させた状態を保持して、流入口部１７ｂを閉塞する。液室流入弁３３は、液シリンダー１７及び液ピストン１４による液室３２の内部が負圧になると、弾性付勢部３３ｅによる付勢力に抗して当該弾性付勢部３３ｅが収縮変形することで、弁本体３３ｆを略切頭円錐形状部分１７ａの内周面から離間させて、流入口部１７ｂを開放する。これによって、容器本体５１の内部に収容された内容液を、液シリンダー１７の内部の液室３２に流入させることが可能になる。
【００３５】
また、本第１実施形態では、図２、図５、及び図６に示すように、エアシリンダー１６の内部には、空気ピストン１３の環状張出しフランジ部１３ｃ及び空気室密着外周部１３ａの上方に重ねるように配置されて、筒壁部３０ａと環状張出し壁部３０ｂと密着外周壁部３０ｃとを備えるガイド補助部材３０が設けられている。ガイド補助部材３０は、筒壁部３０ａを、キャップ部１１のガイド筒部２６と、ガイド筒部２６に挿通されたポンプヘッド部１８の中空パイプ部２７との間の間隔部分に挿入配置して取り付けられている。またガイド補助部材３０は、挿入した筒壁部３０ａの上端部分を、ガイド筒部２６よりも上方に突出させた状態で取り付けられている。ガイド補助部材３０は、筒壁部３０ａによって、キャップ部１１のガイド筒部２６と、ポンプヘッド部１８の中空パイプ部２７との間の間隔部分の隙間を埋めることで、中空パイプ部２７の上下方向の摺動を、さらに安定した状態でガイドすることが可能になる。また、ガイド筒部２６と中空パイプ部２７との間の間隔部分を介して、外部の水がエアシリンダー１６の内部に流入するのを、効果的に回避することが可能になる。
【００３６】
ガイド補助部材３０は、図５に示す、ガイド筒部２６の上半部分にポンプヘッド部１８の螺着スカート部２７ａが螺着された、泡吐出容器５０が使用される前の流通、販売時においては、筒壁部３０ａの略全体を、キャップ部１１の内側に収容した状態となっている。ガイド補助部材３０は、泡吐出容器５０の使用開始時に、使用者が螺着スカート部２７ａの螺着を開放することによって、図６に示すように、ポンプヘッド部１８及びピストン部１２がスプリング部材３４の付勢力により上昇する際に、空気ピストン１３の筒状部１３ｂの中間拡径部１３ｇの角部分が、筒壁部３０ａと環状張出し壁部３０ｂとの連接角部分に下方から当接する。これによって、ガイド補助部材３０は、環状張出し壁部３０ｂにおける筒壁部３０ａ側の基端部の上面が、キャップ部１１のガイド筒部２６の下端部２６ｂに当接するまで、上方に押し上げられる。またこれによって、ガイド補助部材３０は、ポンプヘッド部１８及びピストン部１２が上死点まで上昇した際に、図２に示すように、筒壁部３０ａの上端部分を、相当の突出長さでガイド筒部２６よりも上方に突出させた状態で配置される。
【００３７】
ガイド補助部材３０は、ポンプヘッド部１８及びピストン部１２が上死点まで移動した後は、環状張出し壁部３０ｂの外周縁部に連接する密着外周壁部３０ｃが、エアシリンダー１６の内周面に密着することによって、その上昇した位置を保持することができる。筒壁部３０ａの上端部分を相当の突出長さでガイド筒部２６よりも上方に突出させたガイド補助部材３０は、例えば泡吐出容器５０を保管するために、ポンプヘッド部１８の螺着スカート部２７ａをガイド筒部２６の上半部分に再び螺着するまでの間、その上昇した位置を保持することによって、外部の水がエアシリンダー１６の内部に流入するのを防止し続けることができる。
【００３８】
上述の構成を備える本第１実施形態の泡吐出器１０では、泡吐出容器５０が使用される前の流通、販売時においては、図５に示すように、ガイド筒部２６の上半部分にポンプヘッド部１８の螺着スカート部２７ａが螺着されることで、コンパクトな形状を保持する。泡吐出容器５０を購入した使用者は、ガイド筒部２６にポンプヘッド部１８が螺着された状態を開放することで、図６に示すように、ポンプヘッド部１８は、液シリンダー１７の内部に配設されたスプリング部材３４の弾性付勢力によって、ピストン部１２と共に上昇する。ピストン部１２と共に上昇するポンプヘッド部１８は、図２に示すように、ガイド補助部材３０の環状張出し壁部３０ｂにおける筒壁部３０ａ側の基端部の上面が、キャップ部１１のガイド筒部２６の下端部２６ｂに当接すると、この位置を上死点として、これ以上上昇しなくなる。この上死点では、液ピストン１４の下端部の液室密着外周部１４ａは、液シリンダー１７の上端部分において当該液シリンダー１７の内周面に密着すると共に、延長スリーブ部材３１の下端部が、エアシリンダー１６と液シリンダー１７との縮径接続部分の内側底壁２５に近接して配置されることで、空気流路２１の下端流入口２２もまた、縮径接続部分の内側底壁２５に近接して配置される。
【００３９】
なお、ガイド補助部材３０は、上述のように、ポンプヘッド部１８がピストン部１２と共に上死点に至った後は、密着外周壁部３０ｃをエアシリンダー１６の内周面に密着させることによって、環状張出し壁部３０ｂにおける筒壁部３０ａ側の基端部の上面を、キャップ部１１のガイド筒部２６の下端部２６ｂに当接させた状態を保持する。したがって、引き続き繰り返して行われるポンプヘッド部１８への押圧操作の際には、ポンプヘッド部１８がピストン部１２と共に上昇して、空気ピストン１３の筒状部１３ｂの中間拡径部１３ｇの角部分が、ガイド補助部材３０の筒壁部３０ａと環状張出し壁部３０ｂとの連接角部分に下方から当接することによって、ポンプヘッド部１８が上死点に至ることになる。
【００４０】
そして、本第１実施形態では、泡吐出容器５０の使用時に、ポンプヘッド部１８がピストン部１２と共に上死点に至った泡吐出器１０に対して、ポンプヘッド部１８に繰り返し押圧力を加えることにより、内容液を空気と混合させて泡状にした状態で、ヘッド本体部２８の吐出ノズル部２８ａの先端の吐出口１８ａから吐出させることができる。
【００４１】
すなわち、本第１実施形態によれば、液シリンダー１７及び液ピストン１４による液室３２に内容液が満たされるまで、ポンプヘッド部１８を複数回、空押しして、液室３２に内容液が充填された後に、さらにポンプヘッド部１８への押圧操作を行なう。液ピストン１４の液室円筒部１４ｂの外周面に形成された通気溝１４ｃの下端部による、空気流路２１の下端流入口２２は、開放されたままの状態となっているので（図２参照）、図７（ａ）〜（ｂ）に示すように、ポンプヘッド部１８の押し込みによる空気ピストン１３の下降に伴って、空気室２０が加圧されることで、空気室２０の内部の空気が押し出されて、空気流路２１を介して混合室１９に送り出される。また、ポンプヘッド部１８の押し込みによる液ピストン１４の下降に伴って、液室３２が加圧されることで、上端弁座部１４ｄに密着していた流路ボール弁３５を上方に押し上げながら、液室３２の内部の内容液が、液流路２３を介して混合室１９に送り出される。
【００４２】
混合室１９に送り出された内容液と空気とは、混合室１９において混合され、泡生成部材２９を通過することで泡状に発泡した後に、発泡流路２４を介してポンプヘッド部１８の先端の吐出口１８ａから吐出される。
【００４３】
空気ピストン１３の空気室密着外周部１３ａが、エアシリンダー１６と液シリンダー１７との縮径接続部分の内側底壁２５に接近するまでポンプヘッド部１８を押し下げて、１ストロークの押圧操作が終了したら（図７（ｃ）参照）、ポンプヘッド部１８への押圧を開放する。ポンプヘッド部１８への押圧を開放すると、スプリング部材３４の付勢力によって、ポンプヘッド部１８と共に空気ピストン１６や液ピストン１４が上方に押し上げられる。これによって、空気室２０の内部及び液室３２の内部が負圧になるので、空気ピストン１３の環状張出しフランジ部１３ｃに設けられたボール弁１３ｅが開放されて、空気孔１３ｄを介して空気室２０に外気を流入させることが可能になる。また、液ピストン１４の上端部の上端弁座部１４ｄに流路ボール弁３５が密着して、液流路２３が閉塞されると共に、液シリンダー１７の下端部に設けられた液室流入弁３３の弁本体３３ｆが、弾性付勢部３３ｅからの付勢力に抗して上方に移動する。これによって、弁本体３３ｆのテーパー状の外周面による略切頭円錐形状部分１７ａへの密着状態が外れて、液シリンダー１７の流入口部１７ｂが開放されるので、流入口部１７ｂを介して、容器本体５１に収容された内容液を液室３２にスムーズに流入させることが可能になる。
【００４４】
これらによって、本第１実施形態の泡吐出器１０によれば、空気流路の流入口を開閉する複雑な機構を要することなく、空気流路２１を常時開放させた状態で、より簡易な構成によって、所定の気液比で安定した状態で内容液及び空気を混合室１９に送り出して発泡させることが可能になる。
【００４５】
また、本第１実施形態の泡吐出器１０によれば、延長スリーブ部材３１が設けられていることで、空気流路２１の下端流入口２２は、環状張出しフランジ部１３ｃが張り出して設けられた空気ピストン１３の筒状部１３ｂの下端部よりも、下方に開口している。これによって、空気流路２１の下端流入口２２は、少なくともポンプヘッド部１８を押し下げた状態では、液シリンダー１７の内側に開口するようになっている。またこれによって、ポンプヘッド部１８を押し下げる際に、空気室２０の空気は、延長スリーブ部材３１の外周面と、液シリンダー１７の内周面との間の狭い隙間を通過した後に、空気流路２１の下端流入口２２に至ることになるので、空気室２０の内部の空気の圧力が上昇しやすくなり、従って、空気孔１３ｄを閉塞するボール弁１３ｅを確実に作動させることができ、所定量の空気を、安定した状態で混合室１９に送り出すことが可能になる。ポンプヘッド部１８を押し下げた状態において、延長スリーブ部材３１は、液ピストン１４の液室円筒部１４ｂと液シリンダー１７との間の間隔部分に挿入されて、これらの間隔部分の隙間を埋めることになるので、液ピストン１４のこじれを防止することが可能になる。これらによって、より安定した状態で、所定の気液比で内容液及び空気を混合室１９に送り出して、発泡させることが可能になる。
【００４６】
さらに、本第１実施形態の泡吐出器１０によれば、例えば泡吐出容器５０が浴室等で使用されて、空気室２０に水が侵入した場合でも、侵入した水を排出して、侵入した水が空気室２０に長期間貯留されないようにすることができる。すなわち、本第１実施形態によれば、延長スリーブ部材３１が設けられていることで、空気流路２１の下端流入口２２は、少なくともポンプヘッド部１８を押し下げた状態において、液シリンダー１７の内側に開口するようになっている。したがって、空気室２０の内部に侵入して、空気室２０の底部の縮径接続部分の内側底壁２５の上に貯留されている水を、ポンプヘッド部１８を押圧操作して空気室２０の空気を混合室１９に送り込む際に、液シリンダー１７の内部に流入させ、さらに空気と共に下端流入口２２から空気流路２１に流入させて、空気流路２１を介して混合室２９に送り出すことができる。空気と共に混合室２９に送り出された水は、混合室２９において内容液や空気と混合されて、泡生成部材２９を通過することで泡状に発泡した後に、ポンプヘッド部１８の先端の吐出口１８ａから内容液と共に吐出される。これによって、空気室２０に水が侵入した場合でも、侵入した水をスムーズに排出して、空気室２０に雑菌が発生したり、侵入した水が腐敗したり、悪臭を発生させたりするのを、効果的に回避することが可能になる。
【００４７】
さらにまた、本第１実施形態の泡吐出器１０によれば、吐出される内容液に殺菌作用又は抗菌作用を有する成分が含まれている場合に、内容液を空気室２０の内部に送り込むことで、空気室２０の内部を殺菌して、泡吐出容器５０をより衛生的に使用させることが可能になる。すなわち、本第１実施形態によれば、空気流路の流入口を開閉する複雑な機構は設けられておらず、空気流路２１の下端流入口２２は、ポンプヘッド部１８の押圧を開放した後も、開放したままの状態となっている。したがって、ポンプヘッド部１８への押圧を開放して、空気ピストン１３が上昇することで空気室２０が負圧になった際に、負圧による吸引力によって、発泡流路２４等に残留する内容液を、空気流路２１を介して逆流させて、下端流入口２２から空気室２０に送り込むことができる。空気室２０に送り込まれた内容液の殺菌作用又は抗菌作用によって、泡吐出容器５０を長期間、衛生的に使用することが可能になる。なお内容液を逆流させる量は、例えば空気流路２１の流路面積、流路長等で調整することができる。
【００４８】
そして、本第１実施形態の泡吐出器１０は、ポンプヘッド部１８を押圧操作する際に、例えば１０〜３０ｍｍの縦ストロークで、４〜２０ｃｃの空気を空気室２０から混合室１９に送り込み、０．３〜１．５５ｃｃの内容液を液室３２から混合室１９に送り込むことができるように、適宜混合比を可変にして設計することができる。好ましくは、１３ｃｃの空気を送り込み、１ｃｃの内容液を送り込むか、或いは送り込まれる空気と内容液の比が１３：１となるように設計することもできる。
【００４９】
また、上記の各範囲内では、本第１実施形態の泡吐出器１０は、ポンプヘッド部１８を押圧操作する際に、例えば２５ｍｍの縦ストロークで、１３ｃｃの空気を空気室２０から混合室１９に送り込み、１ｃｃの内容液を液室３２から混合室１９に送り込むように設計することもできる。このため、１ｍｍの縦ストロークあたり、０．５２ｃｃ／ｍｍの空気を送り込み、０．０４ｃｃ／ｍｍの内容液を送り込むことが可能なように、例えば、容器本体５１の口首部５２の口内径がφ２９．５ｍｍ、容器本体５１の最長幅が９０ｍｍ、エアシリンダー１６の外径がφ２９．４ｍｍ付近となるように設計することができる。
【００５０】
これによって、例えば１８ｍｍの縦ストロークで、１３ｃｃの空気を空気室から混合室に送り込み、１ｃｃの内容液を液室から混合室に送り込むために、１ｍｍの縦ストロークあたり、０．７２ｃｃ／ｍｍの空気を送り込み、０．０５６ｃｃ／ｍｍの内容液を送り込むことが可能なように、例えば、容器本体の口首部の口内径がφ３６．１ｍｍ、容器本体の最長幅が９０ｍｍ、エアシリンダーの外径がφ３４．９ｍｍとなるように設計された、従来の泡吐出器と比較して、エアシリンダー１６を小径にすることが可能になると共に、ストロークを長くすることが可能になって、押圧操作する際の慣性力が働くことで、内容液を泡状にして吐出するときの抵抗を軽くすることが可能になる。
【００５１】
また、エアシリンダー１６を小径にすることで、容器本体５１の口首部５２の口内径を小さくすることが可能になって、樹脂量が減るばかりか、容器本体５１の口首部５２の口内径の寸法安定性も向上させることが可能になる。同じ樹脂量の容器本体をブロー成形により成形する場合、容器本体の口首部の口内径が小さい方が、口首部の肉をブローピンで仕上げる際に、賦形性がよくなり、寸法安定性に優れることになる。
【００５２】
さらに、容器本体の口首部の口内径が小さい方が、パリソンの径を小さくすることができ、その結果、容器本体の底部のピンチオフ部の幅を狭くすることが可能になって、ＥＳＣＲ（耐環境応力破壊）に優れた容器を成形することが可能になる。
【００５３】
図８は、本発明の好ましい第２実施形態に係る泡吐出器１０’を示すものである。本第２実施形態の泡吐出器１０’は、空気流路２１への下端流入口２２’を空気ピストン１３の環状張出しフランジ部１３ｃよりも下方に開口させるための、延長スリーブ部材３１’の長さが、上記第１実施形態のものと相違している以外は、上記第１実施形態の泡吐出器１０と同様の構成を備えている。なお、本第２実施形態の泡吐出器１０’では、上記第１実施形態の泡吐出器１０と同様の構成部分については、同様の符号を付すことで、その詳細な説明については適宜省略する。上記第１実施形態の泡吐出器１０と同様の符号を付した構成部分については、上記第１実施形態の泡吐出器１０における説明が適宜適用される。
【００５４】
本第２実施形態の泡吐出器１０’では、空気ピストン１３の筒状部１３ｂの下部スリーブ部１３ｈに接続された延長スリーブ部材３１’は、図８に示すポンプヘッド部１８を押し下げる前の上死点において、これの延長本体部３１ｂ’の下端部を、エアシリンダー１６と液シリンダー１７との縮径接続部分の内側底壁２５から離間させた状態で取り付けられている。すなわち、延長スリーブ部材３１’は、延長本体部３１ｂ’の下端部を、縮径接続部分の内側底壁２５と空気ピストン１３の環状張出しフランジ部１３ｃとの間の上下方向中間部分に配置した状態で取り付けられている。これによって、延長本体部３１ｂ’の下端部に隣接する部分における、液ピストン１４の液室円筒部１４ｂの外周面に形成された通気溝１４ｃが、空気流路２１への下端流入口２２’として、縮径接続部分の内側底壁２５と環状張出しフランジ部１３ｃとの間の上下方向中間部分に、解放されたままの状態で開口する。
【００５５】
本第２実施形態の泡吐出器１０’によっても、縮径接続部分の内側底壁２５と環状張出しフランジ部１３ｃとの間の上下方向中間部分に開口する空気流路２１の下端流入口２２’は、開放されたままの状態となっているので、図９（ａ）、（ｂ）に示すように、ポンプヘッド部１８の押し込みによる空気ピストン１３の下降に伴って、空気室２０の内部の空気を、混合室１９にスムーズに送り出すことが可能になる。また、ポンプヘッド部１８への押し込みが進むと、空気流路２１の下端流入口２２’が、液シリンダー１７の内側に開口するようになる。これによって、上記第１実施形態の泡吐出器１０と同様に、所定量の空気を、安定した状態で混合室１９に送り出すことが可能になると共に、液ピストン１４のこじれを防止することが可能になる。さらに、空気室２０に侵入した水を、空気と共に混合室１９に送り出して、排出することが可能になる。
【００５６】
また、本第２実施形態の泡吐出器１０’によれば、上記第１実施形態の泡吐出器１０と同様に、空気流路２１の下端流入口２２’は、ポンプヘッド部１８の押圧を開放した後も、開放したままの状態となっている。これによって、発泡流路２４等に残留する内容液を、空気流路２１を介して逆流させて、空気室２０に送り込むことで、送り込まれた内容液の殺菌作用又は抗菌作用によって、泡吐出容器５０を長期間、衛生的に使用することが可能になる。
【００５７】
特に、本第２実施形態では、空気流路２１の下端流入口２２’は、ポンプヘッド部１８を押し下げる前の上死点において、縮径接続部分の内側底壁２５と環状張出しフランジ部１３ｃとの間の上下方向中間部分に開口していることで、空気流路２１の下端流入口２２’と、液ピストン１４の液室密着外周部１４ａとの間には、相当の高さの間隔部分３６が保持されている（図８参照）。これによって、空気ピストン１３の空気室密着外周部１３ａが、エアシリンダー１６と液シリンダー１７との縮径接続部分の内側底壁２５に接近するまでポンプヘッド部１８を押し下げた、１ストロークの押圧操作の後も、図９（ｂ）に示すように、空気流路２１の下端流入口２２’と、液ピストン１４の液室密着外周部１４ａとの間の間隔部分３６には、殺菌作用又は抗菌作用を有する内容液、或いは内容液の混ざった水が、空気流路２１を介して排出されることなく、少量残されることになる。これによって、空気ピストン１３の空気室密着外周部１３ａよりも下方部分には、殺菌作用又は抗菌作用を有する内容液が常に存在することになるので、泡吐出容器５０をさらに衛生的に使用することが可能になる。なお、残される内容液等の量は、例えば上述の間隔部分３６の長さで調整することがきる。
【００５８】
なお、本発明は上記実施形態に限定されることなく種々の変更が可能である。例えば、空気ピストンから下方に延設して、空気流路を空気ピストンの下方に延長させる延長スリーブ部材は、空気ピストンとは別部材として接続して設ける必要は必ずしも無い。延長スリーブ部材は、空気ピストンと一体として成形して設けることもできる。例えば、空気ピストンの筒状部自体を、延長スリーブ部材として環状張出しフランジ部よりも下方に延長させて、空気流路の下端流入口を環状張出しフランジ部よりも下方に開口させることもできる。
【符号の説明】
【００５９】
１０，１０’  泡吐出器（ポンプフォーマー）
１１  キャップ部
１２  ピストン部
１３  空気ピストン
１３ａ  空気室密着外周部
１３ｂ  筒状部
１３ｃ  環状張出しフランジ部
１３ｄ  空気孔
１３ｅ  ボール弁
１３ｈ  下部スリーブ部
１３ｋ  上部通気溝
１４  液ピストン
１４ａ  液室密着外周部
１４ｂ  液室円筒部
１４ｃ  通気溝
１５  シリンダー部
１６  エアシリンダー
１７  液シリンダー
１７ａ  略切頭円錐形状部分
１７ｂ  流入口部
１７ｃ  下端流入口
１８  ポンプヘッド部
１８ａ  吐出口
１９  混合室
２０  空気室
２１  空気流路
２２，２２’  下端流入口
２３  液流路
２４  エアシリンダー
２５  縮径接続部分の内側底壁
２６  ガイド筒部
２７  中空パイプ部
２８  ヘッド本体部
２８ａ  吐出ノズル部
２９  泡生成部材
３０  ガイド補助部材
３１，３１’  延長スリーブ部材
３１ａ  拡径接続部
３１ｂ，３１ｂ’  延長本体部
３２  液室
３３  液室流入弁
３３ａ  取付け基盤部
３３ｄ  弁体支持部
３３ｅ  弾性付勢部
３３ｆ  弁本体
３４  スプリング部材
３５  流路ボール弁
３６  空気流路の下端流入口と空気ピストンの空気室密着外周部との間の間隔部分
５０  泡吐出容器（ポンプフォーマー容器）
５１  容器本体
５２  口首部
【図１】
0006431337.tif 000002
【図２】
0006431337.tif 000003
【図３】
0006431337.tif 000004
【図４】
0006431337.tif 000005
【図５】
0006431337.tif 000006
【図６】
0006431337.tif 000007
【図７】
0006431337.tif 000008
【図８】
0006431337.tif 000009
【図９】
0006431337.tif 000010